(57)【要約】【課題】ＦＡＸユニットを増設することができ、標準ＦＡＸユニットの小型化、簡素化、低コスト化を図ったファクシミリ装置、およびＦＡＸユニットの増設方法を提供する。【解決手段】このファクシミリ装置１は、原稿からの画像データの読取りと、画像データの印刷を行う複写機能または複写機能及びプリンタ機能を有する本体コントローラユニット２と、本体コントローラユニット２にＵＳＢケーブル４によって接続され、公衆回線を介して相手と画像データを送受信するファクシミリ機能を有する標準ＦＡＸユニット３とを備え、標準ＦＡＸユニット３にＵＳＢケーブル４によってファクシミリ機能を有する増設ＦＡＸユニット５を増設したものである。【選択図】　　　図１
2004112344.tif 000002
【特許請求の範囲】
【請求項１】
複写機能または複写機能及びプリンタ機能を有する本体コントローラユニットと、前記本体コントローラユニットにＵＳＢインタフェースによって接続されたファクシミリ機能を有する標準ＦＡＸユニットとを具備するファクシミリ装置において、
前記標準ＦＡＸユニットは、ファクシミリ機能を有する増設ＦＡＸユニットが接続されるＵＳＢコネクタを備えたことを特徴とするファクシミリ装置。
【請求項２】
複写機能または複写機能及びプリンタ機能を有する本体コントローラユニットと、前記本体コントローラユニットにＵＳＢインタフェースによって接続されたファクシミリ機能を有する標準ＦＡＸユニットとを具備するファクシミリ装置において、
前記標準ＦＡＸユニットにＵＳＢインタフェースによって接続されたファクシミリ機能を有する増設ＦＡＸユニットを備えたことを特徴とするファクシミリ装置。
【請求項３】
前記標準ＦＡＸユニットは、前記本体コントローラユニットに前記ＵＳＢインタフェースによって接続されたＵＳＢハブコントローラを備え、
前記増設ＦＡＸユニットは、前記ＵＳＢハブコントローラに前記ＵＳＢインタフェースによって接続されたことを特徴とする請求項２記載のファクシミリ装置。
【請求項４】
前記標準ＦＡＸユニットおよび前記増設ＦＡＸユニットは、互いに接続されるＵＳＢコネクタをそれぞれ一つ備えることを特徴とする請求項２記載のファクシミリ装置。
【請求項５】
前記標準ＦＡＸユニットは、複数の前記増設ＦＡＸユニットが前記ＵＳＢインタフェースによって階層状に接続されることを特徴とする請求項２記載のファクシミリ装置。
【請求項６】
前記標準ＦＡＸユニットは、複数の前記増設ＦＡＸユニットが前記ＵＳＢインタフェースによって放射状に接続されることを特徴とする請求項２記載のファクシミリ装置。
【請求項７】
前記本体コントローラユニットは、交流電源を供給する交流電源部を備え、
前記標準ＦＡＸユニットおよび前記増設ＦＡＸユニットは、前記交流電源部から電源ケーブルを介して供給された前記交流電源から直流電源を生成する直流電源部を備えたことを特徴とする請求項２記載のファクシミリ装置。
【請求項８】
前記本体コントローラユニットは、交流電源を供給する交流電源部を備え、
前記標準ＦＡＸユニットは、前記交流電源部から供給された前記交流電源から直流電源を生成する直流電源部を備え、前記直流電源を前記増設ＦＡＸユニットにも供給することを特徴とする請求項２記載のファクシミリ装置。
【請求項９】
前記標準ＦＡＸユニットの前記直流電源部は、前記直流電源をケーブルによって前記増設ＦＡＸユニットに供給することを特徴とする請求項８記載のファクシミリ装置。
【請求項１０】
前記増設ＦＡＸユニットは、前記標準ＦＡＸユニットの前記直流電源部から前記直流電源が供給される導電パターンをボード上に備えることを特徴とする請求項８記載のファクシミリ装置。
【請求項１１】
前記本体コントローラユニットは、直流電源を前記標準ＦＡＸユニットおよび前記増設ＦＡＸユニットに供給する直流電源部を備えたことを特徴とする請求項２記載のファクシミリ装置。
【請求項１２】
前記本体コントローラユニットは、前記直流電源をケーブルによって前記標準ＦＡＸユニットおよび前記増設ＦＡＸユニットに供給することを特徴とする請求項１１記載のファクシミリ装置。
【請求項１３】
前記標準ＦＡＸユニットは、前記直流電源が供給される導電パターンをボード上に備え、前記導電パターンに供給された前記直流電源を電源ケーブルによって前記増設ＦＡＸユニットに供給することを特徴とする請求項１１記載のファクシミリ装置。
【請求項１４】
前記標準ＦＡＸユニットおよび前記増設ＦＡＸユニットは、前記直流電源が供給される導電パターンをボード上に備え、前記標準ＦＡＸユニットおよび前記増設ＦＡＸユニットの導電パターン間を電源ケーブルによって接続したことを特徴とする請求項１１記載のファクシミリ装置。
【請求項１５】
複写機能または複写機能及びプリンタ機能を有する本体コントローラユニットにＵＳＢインタフェースによって接続されたファクシミリ機能を有する標準ＦＡＸユニットに、増設ＦＡＸユニットを増設する方法において、
前記標準ＦＡＸユニットにＵＳＢインタフェースによって前記増設ＦＡＸユニットを接続することを特徴とするＦＡＸユニットの増設方法。
【請求項１６】
前記増設ＦＡＸユニットの接続は、複数の前記増設ＦＡＸユニットを前記ＵＳＢインタフェースによって階層状に接続することを特徴とする請求項１５記載のＦＡＸユニットの増設方法。
【請求項１７】
前記標準ＦＡＸユニットの接続は、複数の前記増設ＦＡＸユニットを前記ＵＳＢインタフェースによって放射状に接続することを特徴とする請求項１５記載のＦＡＸユニットの増設方法。
【発明の詳細な説明】
【０００１】
【発明の属する技術分野】
本発明は、ファクシミリ装置、およびＦＡＸユニットの増設方法に関し、特に、ＦＡＸユニットを増設することができ、標準ＦＡＸユニットの小型化、簡素化、低コスト化を図ったファクシミリ装置、およびＦＡＸユニットの増設方法に関する。
【０００２】
【従来の技術】
ファクシリミ装置として、原稿からの画像データの読取りと、画像データの印刷を行う複写機能または複写機能及びプリンタ機能を有する本体コントローラユニットと、本体コントローラユニットにＵＳＢ（Ｕｎｉｖｅｒｓａｌ　Ｓｅｒｉａｌ　Ｂｕｓ）ケーブルによって接続され、公衆回線を介して相手と画像データを送受信するファクシミリ機能を有する標準ＦＡＸユニットとを備え、標準ＦＡＸユニットにマザーボードを介して増設ＦＡＸユニットを接続できるようにしたものが知られている。
【０００３】
図１０および図１１は、その従来例を示すものである。図１０に示す従来例は、標準ＦＡＸユニット１００内に、拡張し得る最大チャンネル数分の拡張用コネクタ（図示せず）を用意したマザーボード１０１を設置し、このマザーボード１０１に標準ＦＡＸモジュールのボード１０２ａ，１０２ｂ，１０２ｃを標準としたものである。これにより、必要に応じて増設ＦＡＸモジュールのボード１０３ａ，１０３ｂをマザーボード１０１のスロットに挿入することにより、ＦＡＸモジュールを増設することができる。なお、１０４は標準ＦＡＸユニット１００内に直流電源を供給する低電圧ＤＣ電源部（ＬＶＰＳ）、１０５はＦＡＸユニット１００と本体コントローラユニットとを接続するＵＳＢケーブル、１０６は本体コントローラユニットからＦＡＸユニット１００に交流電源（１００Ｖ）を供給する電源ケーブルである。
【０００４】
図１１に示す従来例は、標準ＦＡＸユニット１００内に標準ＦＡＸモジュールのボード１０７ａ，１０７ｂを標準として設置し、拡張用マザーボード１０８を実装するスペースを確保したものである。標準ＦＡＸユニット１００内に拡張用マザーボード１０８を設置し、拡張用マザーボード１０８のスロットに増設ＦＡＸモジュールのボード１０９ａ，１０９ｂ，１０９ｃを挿入することにより、ＦＡＸモジュールを増設することができる。
【０００５】
なお、本発明に関連する先行技術文献情報としては次のものがある。
【特許文献１】
特開２００２−７７４９９号公報
【０００６】
上記特許文献１は、画像データの印刷を行うプリンタ機能を有するプリンタ部と、プリンタ部にＵＳＢインタフェースによって接続され、原稿からの画像データの読取りと、公衆回線を介して相手と画像データを送受信するファクシミリ機能を有するファックス部とを備え、ファックス部は、通信データを２つに分岐、伝達するＵＳＢハブコントローラと、ＵＳＢハブコントローラの一方の下流に設けられたＵＳＢデバイスコントローラと、ＵＳＢデバイスコントローラにバスによって接続されたＦＡＸモジュールとを備え、ＵＳＢハブコントローラの他方の下流にＵＳＢコネクタを備え、このＵＳＢコネクタにＵＳＢケーブルによってパーソナルコンピュータ（ＰＣ）を接続可能に構成されている。これにより、ＰＣによって作成したデータを用紙に印刷しなくても直接ファックス部を用いてファクシミリデータとして送信することができる。
【０００７】
【発明が解決しようとする課題】
しかし、従来のファクシミリ装置によれば、最大チャネル数分の拡張用コネクタをマザーボード１０１に用意する構成では、拡張用コネクタを標準で装備しているため、標準ＦＡＸユニットのコストが高くなり、拡張用マザーボード１０８のスペースを予め確保する構成では、標準ＦＡＸユニットのボックス自体が大きくなり、ボックスのコスト高を招くといった問題がある。
【０００８】
従って、本発明の目的は、ＦＡＸユニットを増設することができ、標準ＦＡＸユニットの小型化、簡素化、低コスト化を図ったファクシミリ装置、およびＦＡＸユニットの増設方法を提供することにある。
【０００９】
【課題を解決するための手段】
第１の発明は、上記目的を達成するため、複写機能または複写機能及びプリンタ機能を有する本体コントローラユニットと、前記プリンタユニットにＵＳＢインタフェースによって接続されたファクシミリ機能を有する標準ＦＡＸユニットとを具備するファクシミリ装置において、前記標準ＦＡＸユニットは、ファクシミリ機能を有する増設ＦＡＸユニットが接続されるＵＳＢコネクタを備えたことを特徴とするファクシミリ装置を提供する。
【００１０】
第２の発明は、上記目的を達成するため、複写機能または複写機能及びプリンタ機能を有する本体コントローラユニットにＵＳＢインタフェースによって接続されたファクシミリ機能を有する標準ＦＡＸユニットに、増設ＦＡＸユニットを増設する方法において、前記標準ＦＡＸユニットにＵＳＢインタフェースによって前記増設ＦＡＸユニットを接続することを特徴とするＦＡＸユニットの増設方法を提供する。
【００１１】
第１および第２の発明によれば、増設ＦＡＸユニットをＵＳＢインタフェースによって標準ＦＡＸユニットに接続することにより、ファクシリミ装置本体側に設けられたＵＳＢホストコントローラによって標準ＦＡＸユニットおよび増設ＦＡＸユニットを制御することができ、増設ＦＡＸユニットのためのマザーボードが不要になる。
【００１２】
【発明の実施の形態】
図１は、本発明の第１の実施の形態に係るファクシリミ装置を示す。このファクシミリ装置１は、原稿からの画像データの読取りと、画像データの印刷を行う複写機能または複写機能及びプリンタ機能を有する本体コントローラユニット２と、本体コントローラユニット２にＵＳＢ（Ｕｎｉｖｅｒｓａｌ　Ｓｅｒｉａｌ　Ｂｕｓ）ケーブル４によって接続され、公衆回線を介して相手と画像データを送受信するファクシミリ機能を有する標準ＦＡＸユニット３とを備え、標準ＦＡＸユニット３にＵＳＢインタフェースとしてのＵＳＢケーブル４によってファクシミリ機能を有する増設ＦＡＸユニット５を増設したものである。
【００１３】
本体コントローラユニット２は、本体コントローラユニット２をＵＳＢケーブル４によって標準ＦＡＸユニット３に接続するＵＳＢホストコントローラ２０と、ＣＰＵ２１と、ＣＰＵ２１の動作プログラムを記憶するＲＯＭ２２と、原稿から画像データを読み取るスキャナ２３と、スキャナ２３によって読み取られた画像データを一旦記憶するＲＡＭ（１）２４ａと、画像データのＣＯＤＥＣ（符号化／復号化）、ＤＭＡ（Ｄｉｒｅｃｔ　Ｍｅｍｏｒｙ　Ａｃｃｅｓｓ）等を行うＡＳＩＣ（ＡｐｐｌｉｃａｔｉｏｎＳｐｅｃｉｆｉｅｄ　ＩＣ）２５と、ＡＳＩＣ２５で圧縮された画像データを符号化情報として記憶するＲＡＭ（２）２４ｂと、ＡＳＩＣ２５で伸長された画像データを印刷データとして記憶するＲＡＭ（３）２４ｃおよびＨＤＤ（ハードディスクドライブ）２６と、印刷データを用紙に印刷する印刷部２７と、ＬＡＮ（ローカルエリアネットワーク）に接続されるＮＩＣ（ＮｅｔｗｏｒｋＩｎｔｅｒｆａｃｅ　Ｃａｒｄ）２８と、ＵＳＢホストコントローラ２０、ＣＰＵ２１、ＲＯＭ２２、スキャナ２３、ＲＡＭ（１）２４ａ、ＲＡＭ（２）２４ｂ、ＲＡＭ（３）２４ｃ、ＡＳＩＣ２５、ＨＤＤ２６、印刷部２７およびＮＩＣ２８を相互に接続するバス２９とを備える。
【００１４】
ＵＳＢホストコントローラ２０は、通信データのシリアル／パラレル変換やパラレル／シリアル変換、ＵＳＢ通信のためのデータのパケット化、通信プロトコル等を実行するものである。
【００１５】
本体コントローラユニット２のＣＰＵ２１は、ファクシミリ装置１全体の動作を制御するものであり、その制御は、本体コントローラユニット２のＲＯＭ２２に予め記憶されたプログラムを順次読み出し、そのプログラムに従い実行される。
【００１６】
標準ＦＡＸユニット３は、本体コントローラユニット２のＵＳＢホストコントローラ２０にＵＳＢケーブル４によって接続され、通信データを２つの分岐、伝達するＵＳＢハブコントローラ３０を有し、このＵＳＢハブコントローラ３０の一方の下流にＵＳＢデバイスコントローラ３１を設け、このＵＳＢデバイスコントローラ３１の下流に、ＣＰＵ３２、ＣＰＵ３２の動作プログラムを記憶するＲＯＭ３３、画像データを記憶するＲＡＭ３４、およびＰＳＴＮ（アナログ電話回線）等の公衆回線６に接続されるアナログＦＡＸモジュール３５を設け、ＵＳＢデバイスコントローラ３１、ＣＰＵ３２、ＲＯＭ３３、ＲＡＭ３４、ＦＡＸモジュール３５をバス３６によって相互に接続したものであり、ＵＳＢハブコントローラ３０の他方には、増設ＦＡＸユニット５を接続するためのＵＳＢコネクタ４ａを備える。なお、ＦＡＸモジュール３５は、デジタルＦＡＸモジュールでもよい。
【００１７】
標準ＦＡＸユニット３のＣＰＵ３２は、ＦＡＸモジュール３５の制御及びＵＳＢデバイスコントローラ３１の制御を行い、本体コントローラユニット２とのデータの受け渡し等を行うものである。
【００１８】
増設ＦＡＸユニット５は、標準ＦＡＸユニット３のＵＳＢコネクタ４ａにＵＳＢケーブル４によって接続されるＵＳＢデバイスコントローラ５０と、ＵＳＢデバイスコントローラ５０にＵＳＢケーブル４によって接続され、ＰＳＴＮ（アナログ電話回線）等の公衆回線６に接続され、通信データの変復調を行うアナログＦＡＸモジュール５１とを備える。なお、標準ＦＡＸユニット３および増設ＦＡＸユニット５は、セルフパワー（ＵＳＢケーブルを経由しない電源供給方式）となっている。
【００１９】
ＦＡＸモジュール３５，５１は、ＣＰＵ、ＲＯＭ（ＦＬＡＳＨ　ＲＯＭ）、ＲＡＭ、ＣＯＤＥＣ等を搭載したハードウェアモジュールである。なお、バス３６に複数のアナログＦＡＸモジュール、および複数のデジタルＦＡＸモジュールを接続してもよい。この場合、これらのうち２つ以上のＦＡＸモジュールを同時に通信可能である。Ｇ３のＦＡＸモジュールは、ＩＳＤＮにも乗り入れが可能に構成されている。
【００２０】
次に、本装置１の動作を説明する。送信の場合、スキャナ２３により原稿を読み取ると、その読み取られた画像データは、一旦ＲＡＭ（１）２４ａに蓄積される。その後、ＡＳＩＣ２５内ＣＯＤＥＣ（符号器）により、画像データが圧縮され、符号化情報としてＲＡＭ（２）２４ｂに蓄積される。符号化情報は、ＵＳＢホストコントローラ２０、および標準ＦＡＸユニット３のＵＳＢハブコントローラ３０を経由して指定された標準ＦＡＸユニット３内のＵＳＢデバイスコントローラ３１、あるいは増設ＦＡＸユニット５内のＵＳＢデバイスコントローラ５０に渡され、予め選択されたアナログＦＡＸモジュール３５，５１を介して公衆回線（ＰＳＴＮ）６に接続し、受信側に送られる。
【００２１】
受信の場合は、逆にＦＡＸモジュール３５、ＵＳＢデバイスコントローラ３１、あるいはＦＡＸモジュール５１を介して受信データを受信し、ＵＳＢハブコントローラ３０から本体コントローラユニット２のＵＳＢホストコントローラ２０を経由してＲＡＭ（２）２４ｂに蓄積される。次いで、ＡＳＩＣ２５内のＣＯＤＥＣ（復号器）により伸長され、印刷データとしてＲＡＭ（３）２４ｃに蓄積され、印刷部２７により印刷される。
【００２２】
この第１の実施の形態によれば、増設用のＵＳＢコネクタ４ａを標準ＦＡＸユニット３と増設ＦＡＸユニット５にそれぞれ１つ設けているので、標準ＦＡＸユニット３と増設ＦＡＸユニット５の共通化が可能になり、部品管理が簡略化する。但し、この場合のＦＡＸモジュール５１はＧ３に限定される。また、増設ＦＡＸユニット５の接続をＵＳＢ接続にすることで、標準ＦＡＸユニット３のマザーボードを省略できるので、標準ＦＡＸユニット３の小型化、簡素化、低コスト化が可能となる。なお、増設ＦＡＸユニット５をカスケード状（階層状）に増設することにより、ハーネス／筐体の共通化によって設置性の改善効果がある。
【００２３】
図２は、本発明の第２の実施の形態に係るファクシミリ装置の概略構成を示す。この第２の実施の形態は、第１の実施の形態と同様に構成されたプリンタユニット２を有し、標準ＦＡＸユニット３に２つのＵＳＢコネクタ４ａを設け、２つのＵＳＢコネクタ４ａによって２つの増設ＦＡＸユニット５Ａ，５Ｂを増設できるようにしたものである。なお、同図では図示していないが、標準ＦＡＸユニット３は、第１の実施の形態と同様に、ＵＳＢデバイスコントローラ３１、ＣＰＵ３２、ＲＯＭ３３、ＲＡＭ３４がバス３６によって相互に接続されている（以下の実施の形態においても同様）。増設ＦＡＸユニット５Ａ，５Ｂには、それぞれＵＳＢデバイスコントローラ５０と、ＦＡＸモジュール５１とを備える。この第２の実施の形態によれば、標準ＦＡＸユニット３にＵＳＢコネクタ４ａを複数用意することにより、ＵＳＢハブコントローラの不要な増設ＦＡＸユニット５Ａ，５Ｂを複数接続でき、増設ＦＡＸユニット５Ａ，５Ｂのコスト抑制になる。
【００２４】
図３は、本発明の第３の実施の形態に係るファクシミリ装置の概略構成を示す。この第３の実施の形態は、第１の実施の形態と同様に構成された本体コントローラユニット２および標準ＦＡＸユニット３を有し、ＵＳＢケーブル４によって標準ＦＡＸユニット３に接続された増設ＦＡＸユニット５を備える。標準ＦＡＸユニット３は、ＵＳＢハブコントローラ３０に、ＵＳＢインタフェース４によってアナログＦＡＸモジュール（Ｇ３Ｍ（１））５１ａ、およびＮＣＵ（１）モジュール５２ａを標準通信モジュールとして接続し、さらに増設ＦＡＸユニット５を構成するアナログＦＡＸモジュール（Ｇ３Ｍ（２））５１ｂ、ＮＣＵ（２）モジュール５２ｂ、ＩＣＭモジュール５３、デジタルＦＡＸモジュール（Ｇ４Ｍ（１））５１ｃ、およびデジタルＦＡＸモジュール（Ｇ４Ｍ（２））５１ｄを増設通信モジュールとして接続したものである。
【００２５】
この第３の実施の形態によれば、アナログＦＡＸモジュール（Ｇ３Ｍ（２））５１ｂとＩＣＭモジュール５３を使ってアナログＦＡＸモジュール（Ｇ３Ｍ（２））５１ｂ−ＩＳＤＮの通信中、かつ、ＮＣＵ（１）モジュール５２ａを使ってアナログ通話中の時、アナログＦＡＸモジュール（Ｇ３Ｍ（１））５１ａとＮＣＵ（２）モジュール５２ｂを使ってアナログＦＡＸ通信が可能になる。従来はアナログＦＡＸモジュール（Ｇ３Ｍ（１））５１ａとＮＣＵ（１）モジュール５２ａ、アナログＦＡＸモジュール（Ｇ３Ｍ（２））５１ｂとＮＣＵ（２）モジュール５２ｂの組合せでしか使えなかったが、ＮＣＵ（１）モジュール５２ａおよびＮＣＵ（２）モジュール５２ｂをハブ接続することにより相互に接続が可能になり、各通信モジュールの有効利用ができる。
【００２６】
図４は、本発明の第４の実施の形態を示す。この第４の実施の形態は、本体コントローラユニット２と、本体コントローラユニット２にＵＳＢケーブル４によって接続された標準ＦＡＸユニット３と、標準ＦＡＸユニット３にＵＳＢケーブル４によって接続された第１の増設ＦＡＸユニット５Ａと、第１の増設ＦＡＸユニット５ＡにＵＳＢケーブル４によって接続された第２の増設ＦＡＸユニット５Ｂとを備える。本体コントローラユニット２は、図１に示す構成に加え、ＡＣ１００Ｖ電源部７を備える。標準ＦＡＸユニット３は、ＵＳＢハブコントローラ３０、ＵＳＢデバイスコントローラ３１、ＦＡＸモジュール３５、および低電圧ＤＣ電源部（ＬＶＰＳ）８を備える。第１の増設ＦＡＸユニット５Ａは、ＵＳＢハブコントローラ５４、ＵＳＢデバイスコントローラ５０、ＦＡＸモジュール５１、およびＬＶＰＳ８を備え、第２の増設ＦＡＸユニット５Ｂは、ＵＳＢデバイスコントローラ５０、ＦＡＸモジュール５１、およびＬＶＰＳ８を備える。本体コントローラユニット２のＡＣ１００Ｖ電源部７を電源ケーブル９によって各ＦＡＸユニット３，５Ａ，５ＢのＬＶＰＳ８に接続する。なお、９ａは電源ケーブルコネクタである。
【００２７】
この第４の実施の形態によれば、標準ＦＡＸユニット３のＬＶＰＳ８が増設ＦＡＸユニット５Ａ，５Ｂの増設の影響を受けないので、標準ＦＡＸユニット３が最適化される。また、第１および第２の増設ＦＡＸユニット５Ａ，５ＢにＬＶＰＳ８を用意することにより、標準ＦＡＸユニット３のＬＶＰＳ８の小型化が図れる。また、この構成は本体コントローラユニット２にＬＶＰＳ８を設置する余裕がない小型機の場合に適している。
【００２８】
図５は、本発明の第５の実施の形態を示す。この第５の実施の形態は、第４の実施の形態において、第１および第２の増設ＦＡＸユニット５Ａ，５ＢにＬＶＰＳ８を配置せず、標準ＦＡＸユニット３に設置したＬＶＰＳ８からＤＣ電源を第１および第２の増設ＦＡＸユニット５Ａ，５Ｂに電源ケーブル９によって供給するようにしたものである。この第５の実施の形態によれば、増設ＦＡＸユニット５Ａ，５ＢからＬＶＰＳ８を省略したので、増設ＦＡＸユニット５Ａ，５Ｂが小型化になり、組立上の自由度も増す。
【００２９】
図６は、本発明の第６の実施の形態を示す。この第６の実施の形態は、第５の実施の形態において、第１および第２の増設ＦＡＸユニット５Ａ，５Ｂのボード上に導電パターン１０を形成し、第１および第２の増設ＦＡＸユニット５Ａ，５Ｂ間を中継用の電源ケーブル９によって接続し、標準ＦＡＸユニット３のＬＶＰＳ８からのＤＣ電源を第１の増設ＦＡＸユニット５Ａの導電パターン１０に供給し、その導電パターン１０に供給されたＤＣ電源を中継用の電源ケーブル９を介して第２の増設ＦＡＸユニット５Ｂの導電パターン１０に供給するようにしたものである。この第６の実施の形態によれば、本体コントローラユニット２に、標準ＦＡＸユニット３、第１の増設ＦＡＸユニット５Ａ、第２の増設ＦＡＸユニット５Ｂの順に増設して行くことにより、標準ＦＡＸユニット３から各増設ＦＡＸユニット５Ａ，５Ｂに延びる増設用の電源ケーブルを用意する必要がないため、増設用オプションのコストを抑えられる。
【００３０】
図７は、本発明の第７の実施の形態を示す。この第７の実施の形態は、第４の実施の形態において、本体コントローラユニット２に設けたＡＣ１００電源部の代わりにＬＶＰＳ８を設け、本体コントローラユニット２のＬＶＰＳ８から標準ＦＡＸユニット３、第１および第２の増設ＦＡＸユニット５Ａ，５ＢにＤＣ電源を電源ケーブル９によって供給するようにしたものである。この第７の実施の形態によれば、標準ＦＡＸユニット３および増設ＦＡＸユニット５Ａ，５ＢにＬＶＰＳ８が不要になるので、標準ＦＡＸユニット３および増設ＦＡＸユニット５Ａ，５Ｂの小型化、低コスト化が図れる。また、この構成は本体コントローラユニット２側のＬＶＰＳ８に余裕がある大型機の場合に適する。
【００３１】
図８は、本発明の第８の実施の形態を示す。この第８の実施の形態は、第７の実施の形態において、標準ＦＡＸユニット３のボード上に導電パターン１０を形成し、本体コントローラユニット２のＬＶＰＳ８からＤＣ電源を電源ケーブル９によって標準ＦＡＸユニット３の導電パターン１０に供給し、この導電パターン１０に供給されたＤＣ電源を電源ケーブル９によって第１および第２の増設ＦＡＸユニット５Ａ，５Ｂに供給するようにしたものである。この第８の実施の形態によれば、本体コントローラユニット２と標準ＦＡＸユニット３を接続するハーネスの簡略化とハーネス引き回しの組立性が改善される。また、標準ＦＡＸユニット３から増設ＦＡＸユニット５への電源ケーブル９を分岐することにより、標準として増設用の電源ケーブルを用意する必要がないため、標準構成のコストを抑えられる。
【００３２】
図９は、本発明の第９の実施の形態を示す。この第９の実施の形態は、第８の実施の形態において、第１および第２の増設ＦＡＸユニット５Ａ，５Ｂのボード上に導電パターン１０を形成し、第１および第２の増設ＦＡＸユニット５Ａ，５Ｂ間を中継用の電源ケーブル９によって接続したものである。この第９の実施の形態によれば、標準ＦＡＸユニット３と第１および第２の増設ＦＡＸユニット５Ａ，５Ｂを接続する電源ケーブルの簡略化とハーネス引き回しの組立性が改善される。また、本体コントローラユニット２に、標準ＦＡＸユニット３、第１の増設ＦＡＸユニット５Ａ、第２の増設ＦＡＸユニット５Ｂの順に増設して行くことにより、標準ＦＡＸユニット３から各増設ＦＡＸユニット５Ａ，５Ｂに延びる増設用の電源ケーブルを用意する必要がないため、増設用オプションのコストを抑えられる。
【００３３】
なお、本発明の実施の形態では、ファクシミリ装置を例に上げているが、ＵＳＢインタフェースを使った接続に関するものならば、他の電子機器システムであってもよい。また、スキャナ２３は、本体コントローラユニット２に設けず、標準ＦＡＸユニット３に設けてもよい。
【００３４】
【発明の効果】
以上説明したように、本発明によれば、ＵＳＢインタフェースによって容易にＦＡＸユニットを増設することができる。また、従来、増設ＦＡＸユニットのために標準ＦＡＸユニットに設けていたマザーボードが不要になるので、標準ＦＡＸユニットの小型化、簡素化、低コスト化を図ることができる。
【図面の簡単な説明】
【図１】本発明の第１の実施の形態に係るファクシミリ装置の構成を示すブロック図である。
【図２】本発明の第２の実施の形態に係るファクシミリ装置の概略構成を示すブロック図である。
【図３】本発明の第３の実施の形態に係るファクシミリ装置の概略構成を示すブロック図である。
【図４】本発明の第４の実施の形態に係るファクシミリ装置の概略構成を示すブロック図である。
【図５】本発明の第５の実施の形態に係るファクシミリ装置の概略構成を示すブロック図である。
【図６】本発明の第６の実施の形態に係るファクシミリ装置の概略構成を示すブロック図である。
【図７】本発明の第７の実施の形態に係るファクシミリ装置の概略構成を示すブロック図である。
【図８】本発明の第８の実施の形態に係るファクシミリ装置の概略構成を示すブロック図である。
【図９】本発明の第９の実施の形態に係るファクシミリ装置の概略構成を示すブロック図である。
【図１０】従来のＦＡＸユニットの増設方法を説明するための図である。
【図１１】従来の他のＦＡＸユニットの増設方法を説明するための図である。
【符号の説明】
１　ファクシミリ装置
２　本体コントローラユニット
３　標準ＦＡＸユニット
４　ＵＳＢケーブル
４ａ　ＵＳＢコネクタ
５，５Ａ，５Ｂ　増設ＦＡＸユニット
６　公衆回線
７　ＡＣ１００Ｖ電源部
８　低電圧ＤＣ電源部（ＬＶＰＳ）
９　電源ケーブル
１０　導電パターン
２０　ホストコントローラ
２１　ＣＰＵ
２２　ＲＯＭ
２３　スキャナ
２４ａ，２４ｂ，２４ｃ　ＲＡＭ
２５　ＨＤＤ
２６　ＡＳＩＣ
２７　印刷部
２８　ＮＩＣ
２９　バス
３０　ＵＳＢハブコントローラ
３１　ＵＳＢデバイスコントローラ
３２　ＣＰＵ
３３　ＲＯＭ
３４　ＲＡＭ
３５　ＦＡＸモジュール
３６　バス
５０　ＵＳＢデバイスコントローラ
５１，５１ａ〜５１ｄ　ＦＡＸモジュール
５２ａ，５２ｂ　ＮＣＵモジュール
５３　ＩＣＭモジュール
５４　ＵＳＢハブコントローラ
１００　標準ＦＡＸユニット
１０１　マザーボード
１０８　拡張用マザーボード
１０２ａ，１０２ｂ，１０２ｃ，１０３ａ，１０３ｂ，１０７ａ，１０７ｂ，１０９ａ，１０９ｂ，１０９ｃ　ボード
【図１】
2004112344.tif 000003
【図２】
2004112344.tif 000004
【図３】
2004112344.tif 000005
【図４】
2004112344.tif 000006
【図５】
2004112344.tif 000007
【図６】
2004112344.tif 000008
【図７】
2004112344.tif 000009
【図８】
2004112344.tif 000010
【図９】
2004112344.tif 000011
【図１０】
2004112344.tif 000012
【図１１】
2004112344.tif 000013